(57)【要約】【課題】二重電源モードを有するスキャニング装置を提供する。【解決手段】検知モジュールは、第１の電圧信号及び第２の電圧信号を検知して検知信号を形成する。スイッチは、電源制御ユニットの命令を受信して第１の電圧信号または第２の電圧信号を選択して切換え、或いは同時に二つの電圧信号を画像取り込み装置へ出力させる。電源制御ユニットは、検知モジュールから検知信号基づいて第１の電圧信号があるか否かを判断する。第１の電圧信号がある場合、電源制御ユニットは、スイッチを制御して第１の電圧信号を出力させ、或いは同時に第１の電圧信号及び第２の電圧信号を画像取り込み装置へ出力させる。電源制御ユニットは、第１の電圧信号がないと判断された場合、スイッチを制御してユニバーサルシリアルバス信号の第２の電圧信号を画像取り込み装置へ出力させる。【選択図】図１
0003156395.tif 000002
【実用新案登録請求の範囲】
【請求項１】
複数のページをスキャンするために二重電源をスキャニング装置へ提供する二重電源装置であって、
第１の電圧信号及びユニバーサルシリアルバス信号の第２の電圧信号を受信する後、前記第１の電圧信号及び前記第２の電圧信号のレベルを検知して検知信号を形成する検知モジュールと、
前記検知モジュールに接続され、前記第１の電圧信号及び前記第２の電圧信号を切換えるために用いられるスイッチと、
前記検知モジュールに接続され、前記検知信号及びを受信するために用いられ、前記検知信号に基づいて前記第１の電圧信号があるか否かを判断し、前記第１の電圧信号がある場合、前記スイッチを制御して前記第１の電圧信号を画像取り込み装置へ出力させることで、前記画像取り込み装置を駆動する電源制御ユニットと、
を含むことを特徴とする二重電源装置。
【請求項２】
前記電源制御ユニットは、前記スイッチを制御して前記第１の電圧信号及び前記第２の電圧信号を前記画像取り込み装置へ出力させることで、前記第１の電圧信号及び前記第２の電圧信号を利用して前記画像取り込み装置を駆動することを特徴とする請求項１に記載の二重電源装置。
【請求項３】
前記電源制御ユニットは、前記第１の電圧信号がないと判断された場合、前記第２の電圧信号を利用して前記画像取り込み装置を駆動することを特徴とする請求項１に記載の二重電源装置。
【請求項４】
前記検知モジュールはさらに、前記第１の電圧信号の変化状態を検知して継続し、前記第１の電圧信号の状態が変化する場合、前記電源制御ユニットが前記第１の電圧信号に対する制御能力を持つか否かを判断することを特徴とする請求項１に記載の二重電源装置。
【請求項５】
前記電源制御ユニットが前記第１の電圧信号に対する前記制御能力を持つ場合、前記電源制御ユニットは、前記ユニバーサルシリアルバス信号の接続を中断するか否かを決定することを特徴とする請求項４に記載の二重電源装置。
【請求項６】
前記電源制御ユニットは、前記ユニバーサルシリアルバス信号の接続を中断する場合、コンピュータシステムへ再度接続の要求を送信することで、前記コンピュータシステムがスキャニング装置を再度列挙することを要求することを特徴とする請求項５に記載の二重電源装置。
【請求項７】
前記スキャニング装置は、前記電源制御ユニットにより前記第１の電圧信号の変化状態を前記コンピュータシステムへ再度報告することを特徴とする請求項６に記載の二重電源装置。
【請求項８】
前記電源制御ユニットが前記第１の電圧信号に対する前記制御能力を持たない場合、前記電源制御ユニットが前記第１の電圧信号に対する前記制御能力は、ディスエーブル状態となり、前記電源制御ユニットは、前記第１の電圧信号の変化状態をコンピュータシステムへ報告することを特徴とする請求項４に記載の二重電源装置。
【請求項９】
前記第１の電圧信号の状態が変化しない場合、前記電源制御ユニットは、前記スイッチを制御して前記第１の電圧信号を出力させ、或いは同時に前記第１の電圧信号及び前記第２の電圧信号を前記画像取り込み装置へ出力させることを特徴とする請求項４に記載の二重電源装置。
【請求項１０】
二重電源装置及び画像取り込み装置を含むスキャニング装置であって、
前記二重電源装置は、第１の電圧信号及びユニバーサルシリアルバス信号の第２の電圧信号を受信する後、前記第１の電圧信号及び前記第２の電圧信号のレベルを検知して検知信号を形成する検知モジュールと、前記検知モジュールに接続され、前記第１の電圧信号及び前記第２の電圧信号を切換えるために用いられるスイッチと、前記検知モジュールに接続され、前記検知信号を受信するために用いられ、前記検知信号に基づいて前記第１の電圧信号があるか否かを判断し、前記第１の電圧信号がある場合、前記スイッチを制御して前記第１の電圧信号を出力させる電源制御ユニットとを含み、
前記画像取り込み装置は、前記二重電源装置の前記検知モジュール及び前記スイッチに接続され、前記第１の電圧信号及び前記第２の電圧信号を受信するために用いられることを特徴とするスキャニング装置。
【請求項１１】
前記画像取り込み装置はさらに、複数のページに照射される輝度を提供するために用いられる光源と、前記光源に接続され、前記複数のページ上に画像データを検知して、前記画像データに対応するアナログ信号データを出力するために用いられる画像センサと、前記光源と前記画像センサに接続され、前記第１の電圧信号及び前記第２の電圧信号を第１の直流電圧及び第２の直流電圧に変換するために用いられる電圧制御回路と、前記電圧制御回路及び前記画像センサに接続され、前記画像センサを駆動するために用いられる駆動モータとを含むことを特徴とする請求項１０に記載のスキャニング装置。
【請求項１２】
前記電源制御ユニットは、前記スイッチを制御して前記第１の電圧信号及び前記第２の電圧信号を前記画像取り込み装置へ出力させることで、前記第１の電圧信号及び前記第２の電圧信号を利用して前記画像取り込み装置を駆動することを特徴とする請求項１０に記載のスキャニング装置。
【請求項１３】
前記電源制御ユニットは、前記第１の電圧信号がないと判断された場合、前記第２の電圧信号を利用して前記画像取り込み装置を駆動することを特徴とする請求項１０に記載のスキャニング装置。
【請求項１４】
前記検知モジュールはさらに、前記第１の電圧信号の変化状態を検知して継続し、前記第１の電圧信号の状態が変化する場合、前記電源制御ユニットが前記第１の電圧信号に対する制御能力を持つか否かを判断することを特徴とする請求項１０に記載のスキャニング装置。
【請求項１５】
前記電源制御ユニットが前記第１の電圧信号に対する前記制御能力を持つ場合、前記電源制御ユニットは、前記ユニバーサルシリアルバス信号の接続を中断するか否かを決定することを特徴とする請求項１４に記載のスキャニング装置。
【請求項１６】
前記電源制御ユニットは、前記ユニバーサルシリアルバス信号の接続を中断する場合、コンピュータシステムへ再度接続の要求を送信することで、前記コンピュータシステムがスキャニング装置を再度列挙することを要求することを特徴とする請求項１５に記載のスキャニング装置。
【請求項１７】
前記スキャニング装置は、前記電源制御ユニットにより前記第１の電圧信号の変化状態を前記コンピュータシステムへ再度報告することを特徴とする請求項１６に記載のスキャニング装置。
【請求項１８】
前記電源制御ユニットが前記第１の電圧信号に対する前記制御能力を持たない場合、前記電源制御ユニットが前記第１の電圧信号に対する前記制御能力は、ディスエーブル状態となり、前記電源制御ユニットは、前記第１の電圧信号の変化状態をコンピュータシステムへ報告することを特徴とする請求項１４に記載のスキャニング装置。
【請求項１９】
前記第１の電圧信号の状態が変化しない場合、前記電源制御ユニットは、前記スイッチを制御して前記第１の電圧信号を出力させ、或いは同時に前記第１の電圧信号及び前記第２の電圧信号を前記画像取り込み装置へ出力させることを特徴とする請求項１４に記載のスキャニング装置。
【考案の詳細な説明】
【技術分野】
【０００１】
本考案は、スキャニング装置に関し、特にユニバーサルシリアルバス電源をスキャニング装置へ選択して提供し、或いは外部電源をスキャニング装置へ選択して提供し、ユニバーサルシリアルバス電源及び外部電源をスキャニング装置へ同時に提供することもできる二重電源モードを有するスキャニング装置に関する。
【背景技術】
【０００２】
情報技術の発達に伴い、電子文書の使用を非常によくみかけ、文書の保存、処理及びインターネットにより転送の利便性のため、常に紙類の文書を電子ファイルのフォームにスキャンする必要がある。目下のスキャナの給電ソースは、主にユニバーサルシリアルバス（Ｕｎｉｖｅｒｓａｌ  Ｓｅｒｉａｌ  Ｂｕｓ：ＵＳＢ）からの電源であり、或いは外付けのアダプター（ａｄａｐｔｏｒ）は、商用の交流電源から変換してスキャナが受けることができる電圧である。上述した二種類の給電方式は、スキャナの設計段階に決定されて、給電方式を変化させることができなく、且つスキャナがコンピュータと接続される場合、決定された給電方式をこのコンピュータへ報告する。しかし、上述した二種類の方式は、その限界と不便を持つ。スキャナがユニバーサルシリアルバス（ＵＳＢ）を使用して給電を行う場合は、スキャナがユニバーサルシリアルバス（ＵＳＢ）の給電（電流）の能力がより小さいため、スキャナのスキャン速度が遅くなっている。スキャナが外付けのアダプター（ａｄａｐｔｏｒ）を使用して給電を行う場合は、その携帯の利便性（ｐｏｒｔａｂｉｌｉｔｙ）が悪く、且つ使用の時に商用の交流電源のコンセントを探す必要がある。従って、上述の問題を解決するためのスキャニング装置が望まれていた。
【考案の概要】
【考案が解決しようとする課題】
【０００３】
本考案の目的は、二重電力のソースを検知することで、ユニバーサルシリアルバス電源をスキャニング装置へ選択して提供し、或いは外部電源をスキャニング装置へ選択して提供し、ユニバーサルシリアルバス電源及び外部電源をスキャニング装置へ同時に提供することもでき、二重電源モードを有するスキャニング装置を提供することにある。
【課題を解決するための手段】
【０００４】
上記目的を達成するために、本考案によれば、二重電源装置を有するスキャニング装置が提供される。スキャニング装置は、二重電源装置及び画像取り込み装置を含み、二重電源装置は、検知モジュール、スイッチ及び電源制御ユニットを含み、画像取り込み装置は、光源、画像センサ、電圧制御回路及び駆動モータを含む。
【０００５】
二重電源モードにおいて、検知モジュールは、第１の電圧信号及び第２の電圧信号を受信し、或いは第２の電圧信号だけを受信し、次に、第１の電圧信号及び第２の電圧信号のレベルを検知して検知信号を形成する。スイッチは、選択された電圧信号を切換えるために用いられる。電源制御ユニットは、検知信号及びユニバーサルシリアルバス信号を受信し、ユニバーサルシリアルバス信号は、制御信号と第２の電圧信号を含むとともに、検知信号に基づいて第１の電圧信号があるか否かを判断する。第１の電圧信号がある場合、電源制御ユニットは、スイッチを制御して第１の電圧信号を出力させ、或いは同時に第１の電圧信号及び第２の電圧信号を画像取り込み装置へ出力させる。電源制御ユニットは、第１の電圧信号がないと判断された場合、スイッチを制御してユニバーサルシリアルバス信号の第２の電圧信号を画像取り込み装置へ出力させる。また他の実施形態では、電源制御ユニットが第１の電圧信号があるか否かを判断する工程は、コンピュータシステムにより実行されることができ、この時、電源制御ユニットは、コンピュータシステムへ検知信号を告知するとともに、コンピュータシステムにより生成された制御命令をスイッチへ転送するために用いられる。
【０００６】
検知モジュールは、第１の電圧信号の変化状態を検知して継続し、第１の電圧信号の状態が変化する場合、電源制御ユニットが電圧信号に対する制御能力を持つか否かを判断する。第１の電圧信号の状態が変化しない場合、電源制御ユニットは、スイッチ１１０を制御して第１の電圧信号を出力させ、或いは同時に第１の電圧信号及び第２の電圧信号を画像取り込み装置へ出力させる。
【０００７】
電源制御ユニットが電圧信号に対する制御能力を持つ場合、電源制御ユニットが電圧信号に対する制御能力は、イネーブル（ｅｎａｂｌｅ）状態となる。電源制御ユニットが電圧信号に対する制御能力を持たない場合、電源制御ユニットが電圧信号に対する制御能力は、ディスエーブル（ｄｉｓａｂｌｅ）状態となる。
【０００８】
制御能力がイネーブル（ｅｎａｂｌｅ）状態となる場合、電源制御ユニットは、ユニバーサルシリアルバスの接続を中断するか否かを決定する。電源制御ユニットは、ユニバーサルシリアルバスの接続を中断する場合、コンピュータシステムへ再度接続の要求を送信することで、コンピュータシステムがスキャニング装置を再度列挙する（ｅｎｕｍｅｒａｔｅ）ことを要求する。次に、スキャニング装置は、電源制御ユニットによりコンピュータシステムへ電圧信号を再度報告して、この外部電源の第１の電圧信号の変化状態を指示する。電源制御ユニットがユニバーサルシリアルバスの接続を中断しない場合、検知モジュールは、第１の電圧信号の変化状態を継続して検知する。制御能力がディスエーブル（ｄｉｓａｂｌｅ）状態となる場合、電源制御ユニットは、第１の電圧信号の変化状態だけをコンピュータシステムへ報告する。
【０００９】
具体的には、電源制御ユニットが第１の電圧信号の変化に基づいてこのユニバーサルシリアルバスの接続及び再度接続を中断するか否かは、コンピュータシステムのアプリケーションソフトウェアが電源制御ユニットをイネーブル（ｅｎａｂｌｅ）状態またはディスエーブル（ｄｉｓａｂｌｅ）状態にさせることを即時に要求することにより決定される。イネーブル（ｅｎａｂｌｅ）状態において、電源制御ユニットは、ユニバーサルシリアルバスの接続を中断し、且つコンピュータシステムがスキャニング装置を再度列挙する（ｅｎｕｍｅｒａｔｅ）場合、正しい第１の電圧信号の状態を報告する。ディスエーブル（ｄｉｓａｂｌｅ）状態において、電源制御ユニットは、第１の電圧信号の変化状態だけをコンピュータシステムへ報告する。
【００１０】
また他の実施形態では、電源制御ユニットは、コンピュータシステムから制御信号に対応してユニバーサルシリアルバス信号の中断を直ちに実行することができ、スキャニング装置を再度列挙する（ｅｎｕｍｅｒａｔｅ）目的を達成する。この中断工程は、コンピュータシステムの要求に対応して実行され、直接に第１の電圧信号の変化状態に関係ない。そのため、制御能力がイネーブル（ｅｎａｂｌｅ）状態となる場合、電源制御ユニットがユニバーサルシリアルバスの接続をアクティブに中断することができないが、コンピュータシステムのソフトウェアは、上述した方式により適当な時間に電源制御ユニットが信号の中断を実行することを要求することができる。
【考案の効果】
【００１１】
本考案により、本考案の二重電源装置を有するスキャニング装置は、二重電力のソースを検知することで、ユニバーサルシリアルバス電源をスキャニング装置へ選択して提供し、或いは外部電源をスキャニング装置へ選択して提供し、このユニバーサルシリアルバス電源及び外部電源をスキャニング装置へ同時に提供することもできる。従って、本考案の二重電源装置を有するスキャニング装置は、ユニバーサルシリアルバス電源または外部電源をと合わせて、携帯の利便性を向上させ、電源コンセントを探す必要がなく、更に異なる電源の電圧信号に基づいてスキャニング装置のスキャニング速度を調整することができる。
【図面の簡単な説明】
【００１２】
【図１】本考案の実施形態による二重電源装置を有するスキャニング装置を示すブロック図である。
【図２】本考案の実施形態による二重電源装置を有するスキャニング装置を実行する方法を示す流れ図である。
【考案を実施するための形態】
【００１３】
図１は、本考案の実施形態による二重電源装置１００を有するスキャニング装置１０２を示すブロック図である。スキャニング装置１０２は、二重電源装置１００及び画像取り込み装置１０４を含み、ユニバーサルシリアルバス（ｕｎｉｖｅｒｓａｌ  ｓｅｒｉａｌ  ｂｕｓ：ＵＳＢ）（図示せず）によりコンピュータシステム１０５に接続される。二重電源装置１００は、検知モジュール１０６、スイッチ１１０及び電源制御ユニット１１４を含む。検知モジュール１０６は接続ポート（図示せず）により外部電源に接続され、外部電源は第１の電圧信号を二重電源装置１００へ提供し、コンピュータシステム１０５はユニバーサルシリアルバス（ＵＳＢ）により第２の電圧信号を検知モジュール１０６へ提供し、且つコンピュータシステム１０５はユニバーサルシリアルバス信号を電源制御ユニット１１４へ送信する。スイッチ１１０は検知モジュール１０６、電源制御ユニット１１４及び画像取り込み装置１０４に接続される。
【００１４】
二重電源モードにおいて、検知モジュール１０６は、第１の電圧信号及び第２の電圧信号を受信し、或いは第２の電圧信号だけを受信し、次に、第１の電圧信号及び第２の電圧信号のレベルを検知して検知信号を形成する。スイッチ１１０は、選択された電圧信号を切換えるために用いられる。電源制御ユニット１１４は、検知信号及びユニバーサルシリアルバス信号を受信し、ユニバーサルシリアルバス信号は、制御信号と第２の電圧信号を含むとともに、検知信号に基づいて第１の電圧信号があるか否かを判断する。第１の電圧信号がある場合、電源制御ユニット１１４は、スイッチ１１０を制御して第１の電圧信号を出力させ、或いは同時に第１の電圧信号及び第２の電圧信号を画像取り込み装置１０４へ出力させる。電源制御ユニット１１４は、第１の電圧信号がないと判断された場合、スイッチ１１０を制御してユニバーサルシリアルバス信号の第２の電圧信号を画像取り込み装置１０４へ出力させる。また他の実施形態では、電源制御ユニット１１４が第１の電圧信号があるか否かを判断する工程は、コンピュータシステム１０５により実行されることができ、この時、電源制御ユニット１１４は、コンピュータシステム１０５へ検知信号を告知するとともに、コンピュータシステム１０５により生成された制御命令をスイッチ１１０へ転送する。本考案の一実施形態において、本考案の第１の電圧信号があるか否かを表す状態値は、ユニバーサルシリアルプロトコルのコンフィギュレーションディスクリプタ（ｃｏｎｆｉｇｕｒａｔｉｏｎ  ｄｅｓｃｒｉｐｔｏｒ）に保存されることができる。
【００１５】
図１を引き続き参照されたい。検知モジュール１０６は、第１の電圧信号の変化状態を検知して継続し、第１の電圧信号の状態が変化する場合、例えば第１の電圧信号はハイレベルをローレベルに変換し、或いはローレベルをハイレベルに変換する場合、電源制御ユニット１１４が電圧信号に対する制御能力を持つか否かを判断する。第１の電圧信号の状態が変化しない場合、電源制御ユニット１１４は、スイッチ１１０を制御して第１の電圧信号を出力させ、或いは同時に第１の電圧信号及び第２の電圧信号を画像取り込み装置１０４へ出力させる。
【００１６】
電源制御ユニット１１４が電圧信号に対する制御能力を持つ場合、電源制御ユニット１１４が電圧信号に対する制御能力は、イネーブル（ｅｎａｂｌｅ）状態となる。電源制御ユニット１１４が電圧信号に対する制御能力を持たない場合、電源制御ユニット１１４が電圧信号に対する制御能力は、ディスエーブル（ｄｉｓａｂｌｅ）状態となる。
【００１７】
制御能力がイネーブル（ｅｎａｂｌｅ）状態となる場合、電源制御ユニット１１４は、ユニバーサルシリアルバスの接続を中断するか否かを決定する。電源制御ユニット１１４は、ユニバーサルシリアルバスの接続を中断する場合、コンピュータシステム１０５へ再度接続の要求を送信することで、コンピュータシステム１０５がスキャニング装置１０２を再度列挙する（ｅｎｕｍｅｒａｔｅ）ことを要求する。次に、スキャニング装置１０２は、電源制御ユニット１１４によりコンピュータシステム１０５へ電圧信号を再度報告して、この外部電源の第１の電圧信号の変化状態を指示する。電源制御ユニット１１４がユニバーサルシリアルバスの接続を中断しない場合、検知モジュール１０６は、第１の電圧信号の変化状態を継続して検知する。制御能力がディスエーブル（ｄｉｓａｂｌｅ）状態となる場合、電源制御ユニット１１４は、第１の電圧信号の変化状態だけをコンピュータシステム１０５へ報告する。
【００１８】
具体的には、電源制御ユニット１１４が第１の電圧信号の変化に基づいてこのユニバーサルシリアルバスの接続及び再度接続を中断するか否かは、コンピュータシステム１０５のアプリケーションソフトウェアが電源制御ユニット１１４をイネーブル（ｅｎａｂｌｅ）状態またはディスエーブル（ｄｉｓａｂｌｅ）状態にさせることを即時に要求することにより決定される。イネーブル（ｅｎａｂｌｅ）状態において、電源制御ユニット１１４は、ユニバーサルシリアルバスの接続を中断し、且つコンピュータシステム１０５がスキャニング装置１０２を再度列挙する（ｅｎｕｍｅｒａｔｅ）場合、正しい第１の電圧信号の状態を報告する。ディスエーブル（ｄｉｓａｂｌｅ）状態において、電源制御ユニット１１４は、第１の電圧信号の変化状態だけをコンピュータシステム１０５へ報告する。
【００１９】
また他の実施形態では、電源制御ユニット１１４は、コンピュータシステム１０５から制御信号に対応してユニバーサルシリアルバス信号の中断を直ちに実行することができ、スキャニング装置１０２を再度列挙する（ｅｎｕｍｅｒａｔｅ）目的を達成する。この中断工程は、コンピュータシステム１０５の要求に対応して実行され、直接に第１の電圧信号の変化状態に関係ない。そのため、制御能力がイネーブル（ｅｎａｂｌｅ）状態となる場合、電源制御ユニット１１４がユニバーサルシリアルバスの接続をアクティブに中断することができないが、コンピュータシステム１０５のソフトウェアは、上述した方式により適当な時間に電源制御ユニット１１４が信号の中断を実行することを要求することができる。
【００２０】
画像取り込み装置１０４は、光源１１６、画像センサ１１８、電圧制御回路１２０及び駆動モータ１２２を含む。画像センサ１１８は光源１１６に接続され、電圧制御回路１２０は検知モジュール１０６及びスイッチ１１０に接続され、駆動モータ１２２は電圧制御回路１２０及び画像センサ１１８に接続される。光源１１６は、ページに照射される輝度を提供するために用いられ、画像センサ１１８は、ページ上に画像データを検知するために用いられ、この画像データに対応するアナログ信号データを出力し、電圧制御回路１２０は、第１の電圧信号及び第２の電圧信号を第１の直流電圧及び第２の直流電圧に変換し、且つ第１の直流電圧及び第２の直流電圧のそれぞれを出力し、駆動モータ１２２は、画像センサ１１８を駆動するために用いられる。本考案の一実施形態において、この第１の直流電圧は、画像取り込み装置１０４を高速に駆動するために用いられ、この第２の直流電圧は、画像取り込み装置１０４を低速に駆動するために用いられる。この画像取り込み装置１０４は、駆動モータ１２２へ提供される第１の直流電圧または第２の直流電圧を選択して使用する。
【００２１】
上述したように、本考案の二重電源装置１００を有するスキャニング装置１０２は、二重電力のソースを検知することで、ユニバーサルシリアルバス電源をスキャニング装置１０２へ選択して提供し、或いは外部電源をスキャニング装置１０２へ選択して提供し、このユニバーサルシリアルバス電源及び外部電源をスキャニング装置１０２へ同時に提供することもできる。従って、本考案の二重電源装置１００を有するスキャニング装置１０２は、ユニバーサルシリアルバス電源または外部電源をと合わせて、携帯の利便性を向上させ、電源コンセントを探す必要がなく、且つ異なる電源の電圧信号に基づいてスキャニング装置１０２のスキャニング速度を調整することができ、低速スキャニング及び高速スキャニングを含み、スキャニング装置１０２の使用柔軟性を向上させる。
【００２２】
図１及び図２を参照する。図２は、本考案の実施形態による二重電源装置１００を有するスキャニング装置１０２を実行する方法を示す流れ図である。スキャニング装置１０２は、二重電源装置１００及び画像取り込み装置１０４を含み、二重電源装置１００は、検知モジュール１０６、スイッチ１１０及び電源制御ユニット１１４を含み、画像取り込み装置１０４は、光源１１６、画像センサ１１８、電圧制御回路１２０及び駆動モータ１２２を含む。
【００２３】
工程Ｓ２００において、検知モジュール１０６は、第１の電圧信号及び第２の電圧信号を受信し、或いは第２の電圧信号だけを受信する。
【００２４】
工程Ｓ２０２において、検知モジュール１０６は、第１の電圧信号及び第２の電圧信号のレベルを検知して検知信号を形成する。
【００２５】
工程Ｓ２０４において、電源制御ユニット１１４は、検知信号及びユニバーサルシリアルバス信号を受信し、ユニバーサルシリアルバス信号は、制御信号と第２の電圧信号を含むとともに、検知信号に基づいて第１の電圧信号があるか否かを判断する。
【００２６】
工程Ｓ２０４ａに示すように、第１の電圧信号がある場合、電源制御ユニット１１４は、スイッチ１１０を制御して第１の電圧信号を出力させ、或いは同時に第１の電圧信号及び第２の電圧信号を画像取り込み装置１０４へ出力させて、画像取り込み装置１０４を駆動する。工程Ｓ２０４ｂに示すように、電源制御ユニット１１４は、第１の電圧信号がないと判断された場合、スイッチ１１０を制御してユニバーサルシリアルバス信号の第２の電圧信号を画像取り込み装置１０４へ出力させて、画像取り込み装置１０４を駆動する。また他の実施形態では、電源制御ユニット１１４が第１の電圧信号があるか否かを判断する工程は、コンピュータシステム１０５により実行されることができ、この時、電源制御ユニット１１４は、コンピュータシステム１０５へ検知信号を告知するとともに、コンピュータシステム１０５により生成された制御命令をスイッチ１１０へ転送する。次に、工程Ｓ２０６を実行する。
【００２７】
工程Ｓ２０６において、検知モジュール１０６は、第１の電圧信号の変化状態を検知して継続し、第１の電圧信号の状態が変化する場合、例えば第１の電圧信号はハイレベルをローレベルに変換し、或いはローレベルをハイレベルに変換する場合、工程Ｓ２０８を実行し、第１の電圧信号の状態が変化しない場合、工程Ｓ２０４ａに返す。
【００２８】
工程Ｓ２０８において、電源制御ユニット１１４が電圧信号に対する制御能力を持つか否かを判断する。電源制御ユニット１１４が電圧信号に対する制御能力を持つ場合、電源制御ユニット１１４が電圧信号に対する制御能力はイネーブル（ｅｎａｂｌｅ）状態となり、工程Ｓ２１０を実行する。電源制御ユニット１１４が電圧信号に対する制御能力を持たない場合、電源制御ユニット１１４が電圧信号に対する制御能力はディスエーブル（ｄｉｓａｂｌｅ）状態となり、工程Ｓ２１２を実行する。
【００２９】
工程Ｓ２１０において、制御能力がイネーブル（ｅｎａｂｌｅ）状態となる場合、電源制御ユニット１１４は、ユニバーサルシリアルバスの接続を中断するか否かを決定する。電源制御ユニット１１４は、ユニバーサルシリアルバスの接続を中断する場合、工程Ｓ２１４に示すように、コンピュータシステム１０５へ再度接続の要求を送信することで、コンピュータシステム１０５がスキャニング装置１０２を再度列挙する（ｅｎｕｍｅｒａｔｅ）ことを要求する。次に、工程Ｓ２１２に返し、スキャニング装置１０２は、電源制御ユニット１１４によりコンピュータシステム１０５へ電圧信号を再度報告して、この外部電源の第１の電圧信号の変化状態を指示する。電源制御ユニット１１４がユニバーサルシリアルバスの接続を中断しない場合、工程Ｓ２０６に返す。
【００３０】
工程Ｓ２１２において、制御能力がディスエーブル（ｄｉｓａｂｌｅ）状態となる場合、電源制御ユニット１１４は、第１の電圧信号の変化状態だけをコンピュータシステム１０５へ報告する。
【産業上の利用可能性】
【００３１】
上記した本考案の実施例から理解できるように、本考案の二重電源装置を有するスキャニング装置は、ユニバーサルシリアルバス電源または外部電源をと合わせて、携帯の利便性を向上させ、電源コンセントを探す必要がなく、且つ異なる電源の電圧信号に応じてスキャニング装置のスキャニング速度を調整することができ、低速スキャニング及び高速スキャニングを含み、スキャニング装置の使用柔軟性を向上させる。
【００３２】
確かに本考案ではいくつかの実施例を上記のように開示したが、これは本考案を限定するためのものではなく、当業者であれば、本考案の技術的思想および範囲を逸脱することなく、各種の変更および修正を行うことができるので、本考案の保護範囲は別紙の実用新案登録請求の範囲による限定を基準と見なす。
【符号の説明】
【００３３】
１００  二重電源装置
１０２  スキャニング装置
１０４  画像取り込み装置
１０５  コンピュータシステム
１０６  検知モジュール
１１０  スイッチ
１１４  電源制御ユニット
１１６  光源
１１８  画像センサ
１２０  電圧制御回路
１２２  駆動モータ
【図１】
0003156395.tif 000003
【図２】
0003156395.tif 000004